(57)【特許請求の範囲】
【請求項１】
コンクリート地下壁の室内側に取り付けられる排水用パネルであって、非透水性板状体の裏面の少なくとも左右両縁部が中央部よりも低く形成され、且つ、前記非透水性板状体の上下両縁部が中央部よりも低く形成されていることを特徴とする地下壁排水用パネル。
【請求項２】
前記非透水性板状体の左右両縁部から中央部を通って下辺に通じる溝を有することを特徴とする請求項１に記載の地下壁排水用パネル。
【請求項３】
前記非透水性板状体の中央部に、上辺から下辺に通じる溝を有することを特徴とする請求項１又は２のいずれかに記載の地下壁排水用パネル。
【請求項４】
前記非透水性板状体の少なくとも左右の側面に、上辺から下辺に通じる溝を有することを特徴とする請求項１〜３のいずれかに記載の地下壁排水用パネル。
【請求項５】
前記非透水性板状体が独立気泡を有する合成樹脂発泡体からなることを特徴とする請求項１〜４のいずれかに記載の地下壁排水用パネル。
【請求項６】
前記非透水性板状体の表面に表面材を設けてなることを特徴とする請求項１〜５のいずれかに記載の地下壁排水用パネル。
【請求項７】
コンクリート地下壁を形成後、その室内側コンクリート面に請求項１〜６のいずれかに記載の地下壁排水用パネルをその裏面の中央部にて接着して取り付けることを特徴とする地下壁施工法。
【請求項８】
コンクリート地下壁の室内側コンクリート面に接して請求項１〜６のいずれかに記載の地下壁排水用パネルが取り付けられていることを特徴とする地下壁の排水構造。
【発明の詳細な説明】
【０００１】
【発明の属する技術分野】
本発明は、地下の湧水を地下壁の室内側で排水する技術に関し、特にコンクリート地下壁の形成後に取り付けられる地下壁排水用パネル、これを用いた地下壁施工法及び地下壁排水構造に関する。
【０００２】
【従来の技術】
従来、地下の湧水をコンクリート地下壁の内側（室内側）で排水する方法として、地下壁の内側にコンクリートブロックを積み上げ、地下壁とブロック壁の間に排水路を形成する二重壁工法が一般に用いられてきた。
【０００３】
しかしながら、上記二重壁工法は信頼性の高い施工が可能である反面、大きなデッドスペースを生じ空間の有効利用率が低下すると共に、コンクリートブロック等を構築する手間が多大であり、工期の長期化、工事費の増大を招くといった問題が有った。
【０００４】
一方、近年、上記二重壁工法の問題点を解消すべく様々な工法が提案されている。
【０００５】
例えば実公平８−６１１７号公報及び特公平８−３０３４３号公報には、裏面に排水溝を有しこの排水溝を透水性又は通水性シートで覆ったパネルを、地下壁内側の型枠パネルとして用いる方法が開示されている。
【０００６】
また、特開平９−１８４１５９号公報には、裏面に排水溝を有すると共に側面にも溝を有するパネルを、地下壁内側の型枠パネル若しくは後付パネルとして用いる方法が開示されている。
【０００７】
【発明が解決しようとする課題】
しかしながら、排水溝を有するパネルを地下壁内側の型枠パネルとして用いる、所謂打ち込み式排水用型枠パネル工法では、コンクリート地下壁と排水用パネルを同時に施工でき工期の短縮を図ることができる反面、コンクリート表面の施工状況を確認することができない。このため、コンクリート壁にジャンカ等の施工不良箇所が発生していても補修することができず、多量の漏水が発生する危険性がある。従って、特にパネル相互の目地部の漏水対策を十分に行う必要があると共に、たとえ目地部の漏水対策が十分に行われたとしても、多量の漏水が発生していると排水用パネルが変形したり、場合によってはコンクリート壁から剥離してしまう等の問題がある。
【０００８】
一方、側面にも溝を有する排水用パネルを後付けする工法では、コンクリート壁の施工不良箇所の補修が可能であることに加え、パネル側面に形成された溝がパネル相互の目地部からの漏水を防止できるというメリットがある。しかしながら、パネル側面に形成できる溝の大きさはパネルの厚みによって制限され、パネル側面の欠け防止等を考慮すると、むやみに大きな溝を形成することができず、パネル相互の目地部からの漏水対策が必ずしも十分とは言えない場合もあった。
【０００９】
本発明は、上記事情に鑑み、地下壁の内側部分において浸透水の排水を確実に行い得ると共に、極めて容易に漏水対策等の施工が可能な地下壁の内側排水構造を実現することを目的とし、かかる排水構造に使用される地下壁排水用パネル及びこれを用いた地下壁施工法の提供を目的とするものである。
【００１０】
【課題を解決するための手段】
上記目的を達成すべく成された本発明の構成は以下の通りである。
【００１１】
即ち、本発明の第１は、コンクリート地下壁の室内側に取り付けられる排水用パネルであって、例えば図７に示すように、非透水性板状体１０の裏面の少なくとも左右両縁部１２が中央部１１よりも低く形成され、且つ、非透水性板状体１０の上下両縁部１３が中央部１１よりも低く形成されていることを特徴とする地下水壁排水用パネルにある。
【００１２】
上記本発明第１の地下壁排水用パネルは、さらにその特徴として、例えば図９に示すように、「非透水性板状体１０の左右両縁部１２から中央部１１を通って下辺に通じる溝１４を有する」こと、例えば図１１に示すように、「非透水性板状体１０の中央部１１に、上辺から下辺に通じる溝１５を有する」こと、例えば図１５に示すように、「非透水性板状体１０の少なくとも左右の側面に、上辺から下辺に通じる溝１６を有する」こと、「非透水性板状体が独立気泡を有する合成樹脂発泡体からなる」こと、「非透水性板状体の表面に表面材を設けてなる」こと、をも含むものである。
【００１３】
また、本発明の第２は、コンクリート地下壁を形成後、その室内側コンクリート面に上記本発明の第１の地下壁排水用パネルをその裏面の中央部にて接着して取り付けることを特徴とする地下壁施工法にある。
【００１４】
更に、本発明の第３は、コンクリート地下壁の室内側コンクリート面に接して上記本発明の第１の地下壁排水用パネルが取り付けられていることを特徴とする地下壁の排水構造にある。
【００１５】
本発明の地下壁排水用パネルは、コンクリート地下壁の施工後にその内側（室内側）に直接取り付けられるものであって、地下壁部分における内側排水構造を構築するために用いられる。即ち、本発明の地下壁排水用パネルによれば、地下壁構造体の内側にコンクリート地下壁を浸透してきた浸透水の排水路を形成し、かかる浸透水を集水ピット等に導くことができるものである。
【００１６】
【発明の実施の形態】
本発明の地下壁排水用パネルの基本的な構成例を図１に示す。図１において、１０は非透水性の板状体からなる排水用パネル、１１はパネル１０の中央部、１２はパネル１０の左右両縁部である。
【００１７】
非透水性のパネル１０の材料としては、耐水性・断熱性等に優れたものが好ましく、例えばポリスチレン発泡体，ポリエチレン発泡体，ポリウレタン発泡体等の独立気泡を有する合成樹脂発泡体が好適である。特に押出発泡ポリスチレン（商品名「スタイロフォーム」：ダウ化工（株）製）は、その低い吸水性の故に最も好ましい。このような合成樹脂発泡体は、特に従来のコンクリートブロックの二重壁に較べて断熱性を付与できるという利点がある。
【００１８】
パネル１０の裏面（本明細書においてはコンクリート地下壁に取り付けられる側をパネルの裏面と称している。）の左右両縁部１２は、所定の広さでパネル厚の一部が切り欠かれており、中央部１１よりも低く形成されている。すなわち、本例では左右両縁部１２を除く中央部１１が平坦な凸部として形成されている。
【００１９】
上記のような構成を有する本発明の地下壁排水用パネルは、コンクリート地下壁の内側に取り付けることにより、地下壁からの浸透水を排水することができると同時に、浸透水がパネル相互の目地部から室内側へ滲み出すのを防止できるものである。
【００２０】
即ち、図２に示すように、本発明の地下壁排水用パネルをコンクリート地下壁２０の内側に相互に当接して横方向に取り付けると、当接部分（目地部）の内側に上下方向に通じる所定の大きさの空間２１が形成される。このため、地下壁２０の亀裂等から浸透し空間２１に達した浸透水は、この空間２１の部分でコンクリート壁若しくはパネル面に沿って流下する。一方、このような空間２１が無い場合には、目地部の表面防水処理を行ったとしても、浸透水が毛管力によって目地部を介してパネル表面にまで滲み出してしまう恐れがある。
【００２１】
本発明の排水用パネルにおいては、特にパネル裏面の任意の広さの領域の左右両縁部１２を中央部１１よりも低く形成することにより、パネルの厚みに特に制限されることなく且つパネル側端部の欠けを防止しつつ、パネル相互の目地部の内側に大きな空間２１の形成を可能にしている。このようにして形成される大きな空間２１は、コンクリート壁からの流出物によって目詰まりする危険性も少なく、パネル相互の目地部からの漏水をより確実に防止することができる。
【００２２】
本発明の排水用パネルにおいて、左右両縁部１２の断面形状は特に限定されるものではなく、図１のように方形状に切り欠いたものの他にも、例えば図３に示すように三角形状に切り欠いたり、図４に示すように円形状に切り欠いたものであってもよく、要するに前述の如くパネル相互の目地部の内側に所望の大きな空間２１を形成できるものであればよい。
【００２３】
パネル相互の目地部から室内側へ浸透水が滲み出すのを防止する観点からすれば、上記空間２１におけるコンクリート壁面からパネル相互の当接部までの沿面距離が長いことが好ましい。このために本発明においては、左右両縁部１２部分の沿面距離を長くし、例えば図５及び図６に示すような断面形状を有するパネルとすることもできる。但し、余りに複雑な断面形状は、加工が煩雑になると共に、欠け・割れ等の発生原因ともなるため、施工現場の湧水の状況やパネルの厚み等を考慮して適宜設計すべきである。
【００２４】
また、地下の階高が高く、本発明の排水用パネルを上下方向にも相互に連結させる必要がある場合には、例えば図７及び図８に示すように、パネル１０の左右両縁部１２のみならず上下両縁部１３も中央部１１より低く形成することが好ましい。これにより、上下方向に当接するパネル相互の目地部の内側にも所望の大きさの空間を形成することができ、かかる目地部から浸透水が室内側へ滲み出すのを防止することができる。特に、図８に示すように、平坦な凸部を形成している中央部１１の上部を左右両縁部１２側に傾斜させることにより、コンクリート壁面と上方のパネルとの間を流下した浸透水をスムーズに下方に導くこともできる。
【００２５】
本発明の排水用パネルにおいては、例えば図９及び図１０に示すように、更に、パネル１０の左右両縁部１２から中央部１１を通って下辺に通じる溝１４を設けておくことも好ましい。即ち、このような溝１４を設けておくと、図２に示した目地部の内側の空間２１を流下する浸透水を溝１４を介してパネル１０の内側（中央側）に導くことができ、目地部からの浸透水の室内側への滲み出しをより確実に防止することができる。
【００２６】
上記の溝１４の幅，深さ，形状等は適宜設計することができ、例えば深さに関して言えば、図９及び図１０に示したように中央部１１の高さよりも浅く形成したものに限らず、中央部１１の高さと同じ深さで形成するなどしてもよい。また、幅や深さの異なる複数の溝１４を組み合わせることもできる。
【００２７】
また、例えば図１１に示すように、更に、パネル１０の中央部１１に上辺から下辺に通じる溝１５を設けておくことも好ましい。即ち、このような溝１５を設けておくと、コンクリート壁面とパネルの中央部１１の間の浸透水を図２に示した目地部の内側の空間２１と溝１５に分散することができる。その結果、空間２１を流下する浸透水の量を減少させることができ、目地部からの浸透水の室内側への滲み出しをより確実に防止することができる。
【００２８】
また、図１２に示すように、上下方向にも当接して使用するためにパネル１０の上下両縁部１３を中央部１１より低く形成したものにあっては、中央部１１の上端を内側の溝１５側に傾斜させておくのも好ましい。即ち、これによりコンクリート壁面と上方のパネルとの間を流下した浸透水を溝１５側に導くことができ、上記と同様、空間２１を流下する浸透水の量を減少させることができ、目地部からの浸透水の室内側への滲み出しをより確実に防止することができる。
【００２９】
本発明の排水用パネルにおいては、図１３及び図１４に示すように、前記の溝１４及び溝１５の双方を設けることが特に好ましい。このような場合には、コンクリート壁面とパネルの中央部１１の間の浸透水を図２に示した目地部の内側の空間２１と溝１５に分散することができると共に、空間２１を流下する浸透水を溝１４を介してパネル１０の内側に導くこともでき、目地部からの室内側への滲み出しの更なる防止が可能となる。尚、図示の例では、溝１５の一部、即ち溝１４との合流点よりも下方の部分は溝１４としても機能している。
【００３０】
また、図１３及び図１４に示したように、溝１４と溝１５を互いに連通させた場合には、浸透水によるパネルの変形防止及びコンクリート壁からの剥離防止の観点からも好ましい。この点について以下に説明する。
【００３１】
前述のように、本発明の排水用パネルにおいては、排水路となる空間２１（図２参照）を比較的大きく形成することができると共に、排水路となる溝１４，溝１５の大きさも自由に設定することができるため、これらの排水路を容易には閉塞しない程度に十分な大きさで形成することができる。とは言え、長期的にはコンクリート壁からの析出物（エフロレッセンス）によって一部の排水路が閉塞することも考慮しておくことは必要である。
【００３２】
排水路の一部が閉塞すると浸透水が局部的に溜まってしまうが、排水用パネル１０は非透水性であるため、かかる浸透水がパネル面から直接室内側に滲み出すことはない。しかし、地下水の水頭圧が高い場合には、パネルの背面に溜まった浸透水の水圧が高くなりパネルに大きな応力がかかり、場合によってはパネルが変形したり剥離することも考えられる。万が一、排水路の閉塞が確認された後では、その補修は極めて困難である。
【００３３】
一方、図１３及び図１４のように排水路を互いに連通させた場合には、排水路の一部が閉塞され、或る排水路内の浸透水の水位が連通溝（溝１４）まで上昇してくると、かかる浸透水は溝１４を介して隣接する他の排水路に流れるため、閉塞された排水路内の水圧が高くなるのを防止することができ、パネルの変形及び剥離等を防止できるものである。
【００３４】
本発明の排水用パネルにおいては、例えば図１５に示すように、パネル１０の側面に溝１６を設けておくことも好ましい。図示のパネルは上下方向にも当接して使用されるパネルであるため、パネルの側面全周に渡って溝１６を形成しているが、左右方向のみに当接して使用されるパネルにあっては左右の側面にのみ溝１６を形成してもよい。このようなパネル１０を互いに突き合わせて連結させると、図２の空間２１の室内側に更に第２の空間が形成され、目地部からの浸透水の室内側への滲み出しをより確実に防止することができるものである。
【００３５】
上記の溝１６は、パネルの厚さによっても異なるが、通常、幅が３ｍｍ〜１０ｍｍ程度、深さが３ｍｍ〜１０ｍｍ程度とすることができる。尚、溝１６は、やとい実によるパネル同士の連結に用いることもできる。更に、（図示しないが）パネル１０の少なくとも左右の側面に本実加工をしておけば、パネル同士の結合を確実にすることができる。
【００３６】
また、本発明の排水用パネルにおいては、例えば図１６に示すように、パネル１０の表面に表面材１７を設けておくことも好ましく、これによりパネルの取り付けと表面仕上げを同時に行うことができる。
【００３７】
表面材１７は、透水性，非透水性のどちらであっても良く、広く一般的に表面材として用いられている材料を用いることができ、例えば珪酸カルシウム板、フレキシブルボード、ＡＬＣ板、石膏ボード、木材、合板、タイル、プレキャストコンクリート板等を用いることができる。
【００３８】
パネルを建て込む際の作業性を考慮すると、パネル１０と表面材１７が一体化された状態において、その側面部分がほぼ面一になっているのが好ましい。即ち、パネル相互の連結部分を段継ぎや嵌め込み等の形態による場合には、パネルを左右にずらしながら作業を行う必要があるが、パネル側面部分が面一若しくは表面材１７が若干内側に設けられている場合には単に立て掛けるだけで容易にパネル同士を連結させることができる。特に、後述の本発明の地下壁施工法においては、本発明のパネルをコンクリート面に接着して取り付けるため、パネルを左右にずらしながらの取り付け作業には適さない。
【００３９】
次に、本発明の地下壁排水用パネルを用いる本発明の地下壁施工法及び地下壁の排水構造の例を、図１７〜図２０を参照しつつ説明する。
【００４０】
図１７〜図１９は地下壁の横断面図の例であり、図１７は図１４に示したようなパネルの表面に表面材１７を設けたものを使用した場合、図１８は図１６に示したようなパネルを使用した場合、図１９は図１５に示したようなパネルを取り付けた施工状態を示している。また、図２０は図１６に示したようなパネルを上下２段に取り付けた地下壁の縦断面図の例である。
【００４１】
本発明の地下壁施工法においては、コンクリート地下壁を形成後に、室内側のコンクリート面に本発明の排水用パネルをその裏面の中央部にて接着して取り付ける。以下、施工手順の一例を説明する。
【００４２】
まず、コンクリート地下壁２０を形成し、バリ，ジャンカ等の施工不良箇所をハツリ及びムラ直し等して平坦な下地を形成する。
【００４３】
次に、コンクリート壁２０の所定の位置に防水系の接着剤２２を塗布し、排水用パネルの裏面の凸部（中央部１１）にてパネルをコンクリート壁２０に接着して取り付ける。これにより、パネル相互の目地部の内側には排水路として機能する空間２１が形成されると共に、溝１４，溝１５及び溝１６が形成されている場合には、これらによっても排水路として機能する所定の空間が形成される。尚、パネルの接着は必ずしも中央部１１の全面で行う必要は無く、中央部１１の一部において行ってもよい。
【００４４】
パネルの取り付けには、ホールインアンカー若しくは図１９に示すようなジョイント構造を上記接着剤と併用して用いることもできる。かかるジョイント構造は、コンクリート壁２０の型枠固定用のセパレータ２３の先端ネジ部にジョイントナット２４を取り付け、これに繋ぎセパレータ２５を介して座金ボルト２６によりパネルを固定しているものである。尚、このようなジョイント構造を採用する場合には、所定の部分に防水系の接着剤若しくは止水リング等を設け、パネルに穿設した開口部からの浸透水の滲み出しを防止する必要がある。
【００４５】
最後に、表面材１７を予め設けていないパネルを使用する場合には表面材１７を接着した後、パネル相互の目地部にシーリング材２７を施す。尚、前述のように本発明のパネルを用いれば、パネル相互の目地部の内側に、地下壁２０からの浸透水が室内側に滲み出すのを防止できる十分に大きな空間２１を形成できるため、かかる目地部の処理は簡易な方法で行うことができ、別途、補修防水層を設けるなど煩雑な防水施工を行う必要がない。
【００４６】
このようにして施工される本発明の地下壁排水構造では、地下壁２０を浸透してきた浸透水は、空間２１及び溝１４，溝１５，溝１６等からなる排水路を流下し、図２０に示すようにパネル下部の水抜き管２８を通って集水ピット２９等に集められる。
【００４７】
また、本発明の地下壁排水構造において、上階の地下壁からの浸透水をさらに下階の地下壁排水構造を介して集水ピットに導く場合には、図２１に示すようにコンクリート壁２０とパネルの内側に排水管３０の設置空間が形成されるような断面形状にパネルを加工しておくとよい。
【００４８】
また、例えば図２２に示すように、パネルの側縁部を所望の断面形状に形成することにより、隅部におけるパネル相互の目時部の内側にも排水路として機能する空間２１を形成することができ、地下構造体の全壁面に渡って本発明の排水構造を施工することができる。
【００４９】
【発明の効果】
以上説明したように、本発明によれば、以下の効果を奏する。
【００５０】
（１）コンクリート地下壁に後付けされる本発明の地下壁排水用パネルは、地下壁からの浸透水を効率良く排水することができると共に、パネル相互の目地部からの浸透水の室内側への滲み出しも確実に防止することができる。
【００５１】
（２）特に、左右両縁部から中央部を通って下辺に通じる溝１４、上辺から下辺に通じる溝１５を設けた本発明の地下壁排水用パネルにあっては、パネル相互の目地部からの浸透水の室内側への滲み出しに関し、更なる防止効果が発揮される。
【００５２】
（３）本発明の地下壁排水用パネルを用いる地下壁施工法によれば、補修防水層を設けるなど煩雑な作業を必要とせず、パネル相互の目地部の防水施工を極めて簡易的に行うことができる。
【００５３】
（４）総合的には、地下壁の内側部分において浸透水の排水を確実に行い得る内側排水構造を、短期間且つ低コストで構築することができる。
【図面の簡単な説明】
【図１】  本発明の地下壁排水用パネルの一例を示す図である。
【図２】  図１のパネルをコンクリート地下壁に取り付けた状態を示す横断面図である。
【図３】  本発明の地下壁排水用パネルの別の例を示す図である。
【図４】  本発明の地下壁排水用パネルの別の例を示す図である。
【図５】  本発明の地下壁排水用パネルの別の例を示す図である。
【図６】  本発明の地下壁排水用パネルの別の例を示す図である。
【図７】  本発明の地下壁排水用パネルの別の例を示す図である。
【図８】  本発明の地下壁排水用パネルの別の例を示す図である。
【図９】  本発明の地下壁排水用パネルの別の例を示す図である。
【図１０】  本発明の地下壁排水用パネルの別の例を示す図である。
【図１１】  本発明の地下壁排水用パネルの別の例を示す図である。
【図１２】  本発明の地下壁排水用パネルの別の例を示す図である。
【図１３】  本発明の地下壁排水用パネルの別の例を示す図である。
【図１４】  本発明の地下壁排水用パネルの別の例を示す図である。
【図１５】  本発明の地下壁排水用パネルの別の例を示す図である。
【図１６】  本発明の地下壁排水用パネルの別の例を示す図である。
【図１７】  本発明の地下壁排水構造の一例を示す横断面図である。
【図１８】  本発明の地下壁排水構造の別の例を示す横断面図である。
【図１９】  本発明の地下壁排水構造の別の例を示す横断面図である。
【図２０】  本発明の地下壁排水構造の一例を示す縦断面図である。
【図２１】  本発明の地下壁排水構造の別の例を示す横断面図である。
【図２２】  本発明の地下壁排水構造の別の例を示す横断面図である。
【符号の説明】
１０  排水用パネル
１１  中央部
１２  左右縁部
１３  上下縁部
１４，１５，１６  溝
１７  表面材
２０  コンクリート地下壁
２１  空間
２２  接着剤
２３  セパレータ
２４  ジョイントナット
２５  繋ぎセパレータ
２６  座金ボルト
２７  シーリング材
２８  水抜き管
２９  集水ピット
３０  排水管
【図１】
0003891516.tif 000002
【図２】
0003891516.tif 000003
【図３】
0003891516.tif 000004
【図４】
0003891516.tif 000005
【図５】
0003891516.tif 000006
【図６】
0003891516.tif 000007
【図７】
0003891516.tif 000008
【図８】
0003891516.tif 000009
【図９】
0003891516.tif 000010
【図１０】
0003891516.tif 000011
【図１１】
0003891516.tif 000012
【図１２】
0003891516.tif 000013
【図１３】
0003891516.tif 000014
【図１４】
0003891516.tif 000015
【図１５】
0003891516.tif 000016
【図１６】
0003891516.tif 000017
【図１７】
0003891516.tif 000018
【図１８】
0003891516.tif 000019
【図１９】
0003891516.tif 000020
【図２０】
0003891516.tif 000021
【図２１】
0003891516.tif 000022
【図２２】
0003891516.tif 000023